【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
コネクタアセンブリであって、
後端部、前端部、および長手方向軸を有するレセプタクルユニットと、
少なくとも１つのレセプタクル接点を備える、前記レセプタクルユニット内における少なくとも１つの接点チャンバと、
正面を有する、前記レセプタクルユニットの前端部にあるマニホールドと、
前記マニホールドの正面に配置された少なくとも１つのレセプタクル凹陥座部であって、前記レセプタクル凹陥座部は、反対の第１端部および第２端部を有する、レセプタクル凹陥座部と、
前記レセプタクル凹陥座部において移動可能に取り付けられた少なくとも１つのレセプタクルローリングシールであって、前記レセプタクルローリングシールは、少なくとも１つの貫通ボアを有し、前記貫通ボアが前記レセプタクルボアからずれている第１閉位置と、前記貫通ボアが前記レセプタクル接点と位置合わせされている第２開位置と、の間で、前記レセプタクルユニットに対して非軸方向に移動可能であり、前記少なくとも１つのレセプタクル凹陥座部および前記少なくとも１つのレセプタクルローリングシールはそれぞれ、前記レセプタクルマニホールドの前記正面に対して平行に、且つ前記レセプタクルユニットの前記長手方向軸に対して横切る方向に、延びる長手方向軸を有し、前記レセプタクルローリングシールは、前記レセプタクル凹陥座部のそれぞれ前記第１端部および前記第２端部を通って延びる第１アクスル部分および第２アクスル部分を有し、前記マニホールドは前記レセプタクル凹陥座部の前記第１端部および前記第２端部において第１アクスル受容ボアおよび第２アクスル受容ボアを有し、前記第１アクスル部分および前記第２アクスル部分はそれぞれ前記第１アクスル受容ボアおよび前記第２アクスル受容ボアにおいて回転可能に着座されている、レセプタクルローリングシールと、
前記レセプタクルユニットと解放可能に嵌合可能であるプラグユニットであって、長手方向軸を、嵌合時に前記レセプタクルユニットの前記前端部と係合する前端部を、および前記レセプタクルユニットならびに前記プラグユニットが嵌合され、前記レセプタクルローリングシールが前記開位置にあるときに前記貫通ボアを通って前記レセプタクルユニットへと突出して前記レセプタクル接点と接触する少なくとも１つのプラグ接点を有し、前記プラグユニットは少なくとも１つのアクチュエータを有し、前記少なくとも１つのアクチュエータは、嵌合時には、前記レセプタクルユニットへと突出し、それにより前記プラグ接点が前記貫通ボアを通って進入する前に、前記レセプタクルローリングシールと係合し、前記レセプタクルローリングシールを前記閉位置から前記開位置に移動させ、前記レセプタクルユニットおよび前記プラグユニットの嵌合解放時には、前記プラグユニットへと後退し、それにより前記レセプタクルローリングシールと係合し、前記レセプタクルローリングシールを前記開位置から前記閉位置に移動させる、プラグユニットと、
前記アクスル受容ボアとそれぞれのアクスル部分との間で前記ボアのうちの一方に配置され且つ前記レセプタクルローリングシールを前記開位置から前記閉位置に向かって付勢する少なくとも１つの付勢装置であって、前記付勢装置は、前記プラグユニットおよび前記レセプタクルユニットの嵌合解放時には、前記レセプタクルローリングシールを前記閉位置に移動させることにおいて前記アクチュエータを支援するよう構成されている、付勢装置と、
を備える、アセンブリ。
【請求項２】
前記付勢装置は、前記レセプタクルローリングシールのそれぞれのアクスル部分に結合された第１端部と、前記レセプタクル凹陥座部に結合された第２端部と、を有するバネを備え、前記バネは、前記レセプタクルローリングシールが前記閉位置では弛緩状態にあり、前記レセプタクルローリングシールが前記開位置では負荷状態にある、請求項１に記載のアセンブリ。
【請求項３】
前記バネは、前記第１端部が前記それぞれのアクスル部分に固定されている状態で、前記それぞれのアクスル部分の少なくとも１部分上で係合されている螺旋状に巻回されたトーションバネ、または、前記それぞれのアクスル部分に固定された内向きに曲げられた内側端部と、前記アクスル受容ボアに固定された外向きに曲げられた外側端部と、を有する、前記それぞれのアクスル部分の少なくとも１部分上で係合されている渦巻き状に巻回された時計バネを備える、請求項２に記載のアセンブリ。
【請求項４】
前記レセプタクルユニットは複数のレセプタクル接点を有し、前記プラグユニットは対応する個数のプラグ接点を有し、前記レセプタクルマニホールドの前記前端部は第１レセプタクル凹陥座部および第２レセプタクル凹陥座部を有し、第１レセプタクルローリングシールは前記第１レセプタクル凹陥座部において移動可能に装着され、第２レセプタクルローリングシールは前記第２レセプタクル凹陥座部において移動可能に装着され、第１付勢装置および第２付勢装置は、それぞれ前記第１レセプタクルローリングシールおよび前記第２レセプタクルローリングシールに結合され、前記レセプタクルローリングシールが前記開位置にあるとき、それぞれ前記第１レセプタクルローリングシールおよび前記第２レセプタクルローリングシールを前記開位置から前記閉位置に向かって付勢する、請求項１に記載のアセンブリ。
【請求項５】
前記アクチュエータは、嵌合時および嵌合解放時に両方のレセプタクルローリングシールと係合し、それにより前記レセプタクルローリングシールを、嵌合時には、前記閉位置から前記開位置に動かし、嵌合解放時には、前記開位置から前記閉位置に動かすよう構成された第１アクチュエータ構造および第２アクチュエータ構造を有する、単一の長尺アクチュエータを備える、請求項４に記載のアセンブリ。
【請求項６】
前記少なくとも１つの付勢装置は、前記第１レセプタクルローリングシールと結合された第１付勢装置と、前記第２レセプタクルローリングシールと結合された第２付勢装置と、を備える、請求項５に記載のアセンブリ。
【請求項７】
それぞれのレセプタクルローリングシールは円筒形であり、且つ前記それぞれのレセプタクルローリングシールを横切って延びる複数のシール貫通ボアを有し、前記レセプタクル接点は前記レセプタクルローリングシールの前記開位置において前記それぞれのシール貫通ボアと位置合わせされ、それぞれのレセプタクル凹陥座部は部分円筒形であり、且つ反対の第１端部および第２端部を有し、それぞれのレセプタクルローリングシールは前記それぞれのレセプタクル凹陥座部において回転可能に装着され、且つ前記レセプタクル凹陥座部の反対の第１端部および第２端部から突出する第１アクスル部分および第２アクスル部分を有し、前記レセプタクルマニホールドは、それぞれのレセプタクル凹陥座部の反対端部においてアクスル受容ボアを有し、前記アクスル受容ボアにおいて前記第１アクスル部分および前記第２アクスル部分は回転可能に受容され、前記第１付勢装置は前記第１レセプタクルローリングシールの前記第１アクスル部分と前記それぞれのアクスル受容ボアとの間で作用し、前記第２付勢装置は前記第２レセプタクルローリングシールの前記第１アクスル部分と前記それぞれのアクスル受容ボアとの間で作用し、それぞれの付勢装置は、前記それぞれのレセプタクルローリングシールの前記閉位置では、弛緩されたかまたは負荷がより小さい状態にあり、前記それぞれのローリングシールの前記開位置では、前記それぞれのレセプタクルローリングシールを前記閉位置に向かって付勢するために、負荷が与えられた状態にある、請求項４に記載のアセンブリ。
【請求項８】
それぞれの付勢装置は、前記アクスル部分のうちの一方に固定された第１端部と、前記一方のアクスル部分が回転可能に着座されている前記それぞれのアクスル受容ボアに固定された第２端部と、を有するバネを備える、請求項７に記載のアセンブリ。
【請求項９】
前記付勢装置は前記第２アクスル受容ボアと前記第２アクスル部分との間で前記ボアに配置されており、前記第２アクスル部分は、第１部分と、前記第１部分上におけるアクチュエータ係合タブと、前記第１部分から突出する第２部分と、有し、前記付勢装置は、前記第２アクスル部分の前記第２部分の周りに巻回され且つ前記第２部分に固定された内側端部と、前記第２アクスル受容ボアに固定された外側端部と、を有するバネを有する、請求項１に記載のアセンブリ。
【請求項１０】
前記マニホールドは、前記レセプタクル凹陥座部の前記第２端部と交差して延びる切り抜き部分を有する本体と、前記切り抜き部分に合致する所定の外部形状および寸法の分離マニホールド部分と、を有し、前記分離マニホールド部分は前記第２アクスル部分および前記バネの上方で係合するよう前記切り抜き部分に固定されている、請求項９に記載のアセンブリ。
【請求項１１】
前記レセプタクルマニホールドは、前記正面から内向きに且つ第２アクスル受容ボアに対して横切って延びる少なくとも１つのアクチュエータ受容通路と、前記第２アクスル受容ボアを前記アクチュエータ受容通路につなぎ合わせる接続通路と、を有し、前記第２アクスル部分は、外側表面と、前記外側表面から前記接続通路を通り前記アクチュエータ受容通路へと突出するタブと、を有し、前記少なくとも１つのアクチュエータは、前記プラグユニットおよび前記レセプタクルユニットの嵌合時には前記開位置へと、嵌合解放時には前記閉位置へと、前記レセプタクルローリングシールを回転させるために前記タブと係合するアクチュエータ構造を有する、請求項９に記載のアセンブリ。
【請求項１２】
前記プラグユニットは、嵌合時に前記レセプタクルユニットの前記前端部に対向する正面を有するマニホールドを有し、前記プラグマニホールドは、少なくとも１つのプラグ凹陥座部を有し、前記プラグユニットおよび前記レセプタクルユニットの嵌合時に拡張位置と後退位置との間で移動可能であり、少なくとも１つのプラグローリングシールが前記プラグ凹陥座部に装着され、前記プラグローリングシールは少なくとも１つの貫通ボアを有し、前記貫通ボアが前記少なくとも１つのプラグ接点と位置合わせされている開位置と、前記貫通ボアが前記少なくとも１つのプラグ接点からずれている閉位置と、の間で移動可能であり、前記プラグマニホールドに対して動き、それにより、前記プラグユニットおよび前記レセプタクルユニットの嵌合時の嵌合時には前記プラグローリングシールを前記閉位置から前記開位置へと移動させるよう前記プラグローリングシールを作動させることと、前記プラグユニットおよび前記レセプタクルユニットの嵌合解放時には前記プラグローリングシールを前記閉位置から前記開位置へと戻すよう前記プラグローリングシールを作動させることと、を行うために、少なくとも１つの第２アクチュエータが前記プラグユニットに装着されている、請求項１に記載のアセンブリ。
【請求項１３】
前記プラグユニットは少なくとも第１アクチュエータ装着ボアおよび第２アクチュエータ装着ボアを備え、前記レセプタクルアクチュエータは、前記第１アクチュエータ装着ボアに装着された少なくとも１つの第１アクチュエータロッドを備え、前記第２アクチュエータは前記第２アクチュエータ装着ボアに装着された少なくとも１つの第２アクチュエータロッドを備え、前記レセプタクルマニホールドは、前記プラグユニットおよび前記レセプタクルユニットの嵌合時に前記第１アクチュエータ装着ボアおよび前記第２アクチュエータ装着ボアにそれぞれ位置合わせされている少なくとも第１アクチュエータ通路および第２アクチュエータ通路を備え、それにより、前記第１アクチュエータロッドおよび前記第２アクチュエータロッドの前方部分は、前記プラグユニットおよび前記レセプタクルユニットが嵌合されているとき前記伸長位置において前記プラグマニホールドから前記第１アクチュエータ通路および前記第２アクチュエータ通路に延び、前記プラグマニホールドは前記後退位置へと移動し、前記少なくとも１つのレセプタクル凹陥座部およびプラグ凹陥座部はそれぞれが、前記長手方向軸に垂直に延びる軸と、反対の第１端部および第２端部と、を有する部分円筒形凹陥部を有し、前記プラグシールはプラグローリングシールを備え、前記レセプタクルシールはレセプタクルローリングシールを備え、それぞれのローリングシールは円筒形状であり、前記それぞれの部分円筒形凹陥部に回転可能に装着され、前記軸に対して横切る方向に前記ローリングシールを通って延びる複数のボアを有し、前記プラグローリングシールおよび前記レセプタクルローリングシールはそれぞれが、前記それぞれの部分円筒形凹陥部の一方の端部から突出する少なくとも１つのアクスル部分を有し、前記レセプタクルマニホールドにおける前記第１アクチュエータ通路は、前記少なくとも１つのアクスル部分の近位において延び、前記１つのアクスル部分は突出タブを有し、前記第１アクチュエータはタブ係合構造を有し、前記タブ係合構造は、前記プラグユニットおよび前記レセプタクルユニットが嵌合され前記第１アクチュエータが前記第１アクチュエータ通路へと移動するときには、前記レセプタクルローリングシールを前記閉位置から前記開位置に回転させるために前記レセプタクルローリングシールの前記突出タブに係合し、前記プラグユニットおよび前記レセプタクルユニットの嵌合が解放され前記第１アクチュエータが前記第１アクチュエータ通路から出るときには、前記レセプタクルローリングシールを前記開位置から前記閉位置に回転させるために前記レセプタクルローリングシールの前記突出タブと係合する、請求項１２に記載のアセンブリ。
【請求項１４】
コネクタアセンブリであって、
後端部および前端部を有するプラグユニットであって、前記プラグユニットは、前記プラグユニットの前記前端部まで延びる第１ボアを有し、前記前端部は、より大きい寸法の第１凹陥座部を有し、前記第１ボアは前記第１凹陥座部に延びる、プラグユニットと、
前記ボア内の後退位置と、前記プラグユニットの前記前端部を通って前方に突出する伸長位置と、の間で動くために前記第１ボアに摺動可能に装着された少なくとも１つのプラグ接点と、
前記第１凹陥座部に移動可能に装着されたプラグシールであって、少なくとも１つの貫通ボアを有し、前記貫通ボアが前記第１貫通ボアと位置合わせされている開位置と、前記貫通ボアが前記第１貫通ボアからずれていて前記第１貫通ボアがシールされている閉位置と、の間で移動可能である、プラグシールと、
後端部と、前記レセプタクルユニットおよび前記プラグユニットが一緒に接続されるときに前記プラグユニットの前記前端部と所定の方向に係合するための前端部と、を有するレセプタクルユニットと、
前記前端部から内向きに前記レセプタクルユニットに延びる第２ボアであって、前記レセプタクルユニットの前記前端部は、前記第１凹陥座部の形状および寸法に合致する形状および寸法の第２凹陥座部を有し、前記第２ボアは、前記プラグユニットおよび前記レセプタクルユニットが嵌合係合のために前記所定の相対的方向に配置されているとき、前記第２凹陥座部に延び、前記第１ボアと位置合わせされている、第２ボアと、
前記第２ボアに装着された少なくとも１つのレセプタクル接点と、
前記第２凹陥座部に移動可能に装着されたレセプタクルシールであって、少なくとも１つの貫通ボアを有し、前記貫通ボアが前記第2ボアと位置合わせされている開位置と、前記貫通ボアが前記第２ボアからずれていて前記第2ボアがシールされている閉位置と、の間で移動可能である、レセプタクルシールと、
前記レセプタクルユニットが前記プラグユニットに接続されるときには前記閉位置から前記開位置へと移動させるよう、前記レセプタクルユニットおよび前記プラグユニットが接続解除されるときには前記開位置から前記閉位置へと移動させるよう、前記プラグシールおよび前記レセプタクルシールのうちのそれぞれを作動させるアクチュエータ機構であって、前記アクチュエータ機構は、前記プラグユニットに摺動可能に装着され且つ、前記プラグユニットおよび前記レセプタクルユニットが一緒に接続されるときには、前記プラグユニットの前記前端部から前記レセプタクルユニットへと突出する、少なくとも２つのアクチュエータ部材を備え、前記アクチュエータ部材のうちの第１アクチュエータ部材は、前記プラグユニットおよび前記レセプタクルユニットが接続されるときには前記閉位置と前記開位置との間で、前記プラグユニットおよび前記レセプタクルユニットが接続解除されるときには前記開位置から前記閉位置に、前記プラグシールを移動させるプラグシールアクチュエータを備え、前記アクチュエータ部材のうちの第２アクチュエータ部材は、前記プラグユニットおよび前記レセプタクルユニットが一緒に接続されるときには前記閉位置と前記開位置との間で、前記プラグユニットおよび前記レセプタクルユニットが接続解除されるときには前記開位置と前記閉位置との間で、前記レセプタクルシールを移動させるレセプタクルシールアクチュエータを備え、それにより前記プラグ接点は、前記プラグユニットおよび前記レセプタクルユニットの前記接続された状態においては、前記プラグシールおよび前記レセプタクルシールにおける前記位置合わせされた貫通ボアを通って前記第２ボアへと突出して前記レセプタクル接点と係合する、アクチュエータ機構と、
前記プラグシールおよび前記レセプタクルシールのうちの一方のシールと結合された少なくとも１つのシール付勢装置であって、前記シール付勢装置は、前記プラグユニットおよび前記レセプタクルユニットが接続解除されるときには、前記一方のシールを前記開位置から前記閉位置に向かって付勢し、前記付勢装置は、前記１つのシールに結合された第１端部と、前記１つのシールが装着された前記凹陥座部に結合された第２端部と、を有するバネを備え、前記バネは、前記１つのシールが閉位置にあるときには弛緩状態にあり、前記１つのシールが開位置にあるときには負荷状態にあり、前記１つのシールは、前記１つのシールが装着されている前記凹陥座部の反対端部の近位に位置する反対端部を有し、少なくとも１つのアクスル部分が、前記１つのシールの１つの端部から前記凹陥座部の前記近位に位置する端部を通って突出し、前記１つのシールが着座された前記ユニットは、前記１つのアクスル部分が回転可能に係合されたアクスル受容ボアを有する、シール付勢装置と、
を備える、アセンブリ。
【請求項１５】
コネクタアセンブリであって、前記アセンブリは、
少なくとも１つのプラグ接点チャンバと、少なくとも１つのプラグ通路を有する前端部分であって、前記プラグ通路は、前記前端部分を通って延び且つ前記プラグ接点チャンバに連通する、前端部分と、を有する、プラグユニットと、
前記接点チャンバに配置され且つ、後退位置と、前記通路を通って前記プラグユニットの前記前端部分から前方に突出する伸長位置と、の間で動くために、前記通路に位置合わせされた、少なくとも１つのプラグ接点と、
前記前端部分において移動可能に装着されたプラグシールであって、少なくとも１つの貫通ボアを有し、且つ、前記貫通ボアが前記プラグ通路および前記プラグ接点に位置合わせされている開位置と、前記貫通ボアが前記プラグ通路からずれて、前記プラグ通路がシールされている閉位置と、の間で移動可能である、プラグシールと、
前記プラグユニットに解放可能に嵌合可能であり、且つ、少なくとも１つのレセプタクル接点チャンバと、前記レセプタクルユニットおよび前記プラグユニットの嵌合時に所定の方向に前記プラグユニットの前記前端部分に係合するための前端部分と、を有するレセプタクルユニットであって、前記前端部分は、前記前端部分を通って延び、且つ前記レセプタクル接点チャンバに連通する、少なくとも１つのレセプタクル通路を有する、レセプタクルユニットと、
前記レセプタクル接点チャンバに装着された少なくとも１つのレセプタクル接点と、
前記レセプタクルユニットの前記前端部分において移動可能に装着されたレセプタクルシールであって、少なくとも１つの貫通ボアを有し、且つ、前記貫通ボアが前記レセプタクル通路に位置合わせされている開位置と、前記貫通ボアが前記レセプタクル通路からずれて、前記レセプタクル通路がシールされている閉位置と、の間で移動可能である、レセプタクルシールと、
前記レセプタクルユニットおよび前記プラグユニットの嵌合時には前記閉位置から前記開位置へと移動させ、前記レセプタクルユニットおよび前記プラグユニットの嵌合解放時には前記開位置から前記閉位置へと移動させるよう、前記プラグシールおよび前記レセプタクルシールのうちのそれぞれを作動させるアクチュエータ機構であって、それにより前記プラグ接点は、前記プラグユニットおよび前記レセプタクルユニットの嵌合状態では、前記プラグ通路と、前記プラグシールおよび前記レセプタクルシールにおける前記位置合わせされた貫通ボアと、前記レセプタクル通路と、を通って突出し、前記レセプタクル接点に係合する、アクチュエータ機構と、
前記シールのうちの１つのシールに結合された少なくとも１つのシール付勢装置であって、前記プラグユニットおよび前記レセプタクルユニットの嵌合解放時に前記１つのシールを前記開位置から前記閉位置に向かって付勢する、シール付勢装置と、
を備え、
前記プラグシールおよび前記レセプタクルシールはローリングシールを備え、前記プラグユニットは複数のプラグ接点を有し、前記レセプタクルユニットは、前記プラグユニットおよび前記レセプタクルユニットの嵌合時にそれぞれのプラグ接点に位置合わせされる複数のレセプタクル接点を有し、前記プラグユニットの前記前端部分は、それぞれがそれぞれのプラグ接点に位置合わせされた複数のプラグ通路を有し、前記レセプタクルユニットの前記前端部分は、それぞれがそれぞれのレセプタクル接点に位置合わせされた複数のレセプタクル通路を有し、それぞれのローリングシールは、前記それぞれの通路に対して横切って延び、且つ、前記開位置においては前記それぞれの通路に位置合わせされ、前記閉位置においては前記それぞれの通路からずれる、複数の平行貫通ボアを有し、
前記プラグユニットおよび前記レセプタクルユニットの前記前端部分はそれぞれ前方端部を有し、前記プラグユニットの前記前端部分は、前記前方端部において開放され、且つ前記プラグローリングシールを回転可能に装着するよう構成されている、少なくとも１つのプラグ凹陥座部を有し、前記レセプタクルユニットの前記前端部分は、前記前方端部において開放され、且つ前記レセプタクルローリングシールを回転可能に装着するよう構成されている、少なくとも１つのレセプタクル凹陥座部を有し、前記プラグ凹陥座部および前記レセプタクル凹陥座部はそれぞれが反対の第１端部および第２端部を有し、前記プラグローリングシールおよび前記レセプタクルローリングシールはそれぞれが、前記それぞれのプラグ凹陥座部およびレセプタクル凹陥座部の１つの端部を通って突出する少なくとも１つのアクスル部分を有し、前記プラグユニットおよび前記レセプタクルユニットはそれぞれが、前記少なくとも１つのアクスル部分が回転可能に装着されている前記それぞれの凹陥座部の前記１つの端部において少なくとも１つのアクスル受容ボアを有し、前記付勢装置は前記１つのローリングシールを備える前記ユニットの前記アクスル受容ボアにおいて、前記少なくとも１つのアクスル部分と前記アクスル受容ボアとの間に配置される、アセンブリ。